【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
端末と、無線ネットワーク制御装置に接続された基地局と、を有する移動通信システムにおける測定報告方法であって、
前記基地局が、少なくとも一つの端末によるソフトハンドオーバ中において個別アップリンクデータチャネルで送信されるスケジュールデータに割り当てられたビットレートを測定するステップと、
前記基地局が、前記ビットレートの前記測定結果を、前記無線ネットワーク制御装置に信号伝達するステップと
を含む測定報告方法。
【請求項２】
各ビットレートは、それぞれ、各端末によって個別アップリンクデータチャネルで送信されるスケジュールデータに関して測定されたものであり、
前記測定は、前記ビットレートに関して共通の測定指標でなされるものである
請求項１に記載の測定報告方法。
【請求項３】
前記個別アップリンクデータチャネルに配置される論理チャネルは、優先度クラスに対応付けられており、
前記基地局は、前記割り当てビットレートを、優先度クラス毎に測定する
請求項１又は請求項２に記載の測定報告方法。
【請求項４】
前記個別アップリンクデータチャネルに配置される論理チャネルは、優先度クラスに対応付けられており、
前記共通の測定指標とは、セル毎、優先度クラス毎の割り当てビットレートを示す
請求項２に記載の測定報告方法。
【請求項５】
前記優先度クラスは、スケジューリング優先度インジケータ、又は論理チャネル優先度である
請求項３又は請求項４に記載の測定報告方法。
【請求項６】
前記無線ネットワーク制御装置から、前記測定を開始するための測定開始要求メッセージを受信するステップを、さらに含む
請求項１から請求項５のいずれかに記載の測定報告方法。
【請求項７】
前記測定結果を、前記個別アップリンクデータチャネルに配置される論理チャネルに対応付けられる優先度クラスを示す優先度インジケータと共に送信する
請求項１から請求項６のいずれかに記載の測定報告方法。
【請求項８】
前記個別アップリンクデータチャネルは、ＵＭＴＳシステムのＥ−ＤＣＨ（Enhanced Dedicated Uplink Channel）である
請求項１から請求項７のいずれかに記載の測定報告方法。
【請求項９】
前記個別アップリンクデータチャネルは、ＵＭＴＳシステムのＥ−ＤＣＨ（Enhanced Dedicated Uplink Channel）であり、
前記基地局は、各優先度クラスについて、前記割り当てられたビットレートを、測定期間中に基地局のＭＡＣ−ｅによって無線インターフェース上において送信が成功したＭＡＣ−ｄ  ＰＤＵ  ビットの総数を前記測定期間の持続時間で割ることによって測定する
請求項１から請求項７のいずれかに記載の測定報告方法。
【請求項１０】
端末と、無線ネットワーク制御装置に接続された基地局と、を有する移動通信システムにおける、前記基地局であって、
少なくとも一つの前記端末によるソフトハンドオーバ中において個別アップリンクデータチャネルで送信されるスケジュールデータに割り当てられたビットレートを測定する測定部と、
前記ビットレートの前記測定結果を、前記無線ネットワーク制御装置に信号伝達する送信部と
を具備する基地局。
【請求項１１】
前記測定部は、前記ビットレートに関して共通の測定指標で測定を行い、
各ビットレートは、それぞれ、各端末によって個別アップリンクデータチャネルで送信されるスケジュールデータに関して測定されたものである
請求項１０に記載の基地局。
【請求項１２】
前記個別アップリンクデータチャネルに配置される論理チャネルは、優先度クラスに対応付けられており、
前記測定指標とは、優先度クラス毎のビットレートである
請求項１０又は請求項１１に記載の基地局。
【請求項１３】
前記個別アップリンクデータチャネルに配置される論理チャネルは、優先度クラスに対応付けられており、
前記共通の測定指標とは、セル毎、優先度クラス毎のビットレートである
請求項１１に記載の基地局。
【請求項１４】
前記優先度クラスは、スケジューリング優先度インジケータ、又は論理チャネル優先度である
請求項１２又は請求項１３に記載の基地局。
【請求項１５】
前記無線ネットワーク制御装置から、前記測定を開始するための測定開始要求メッセージを受信する受信部を、さらに具備する
請求項１０から請求項１４のいずれかに記載の基地局。
【請求項１６】
前記測定結果を、前記個別アップリンクデータチャネルに配置される論理チャネルに対応付けられる優先度クラスを示す優先度インジケータと共に送信する
請求項１０から請求項１５のいずれかに記載の基地局。
【請求項１７】
前記個別アップリンクデータチャネルは、ＵＭＴＳシステムのＥ−ＤＣＨ（Enhanced Dedicated Uplink Channel）である
請求項１０から請求項１６のいずれかに記載の基地局。
【請求項１８】
前記個別アップリンクデータチャネルは、ＵＭＴＳシステムのＥ−ＤＣＨ（Enhanced Dedicated Uplink Channel）であり、
各優先度クラスについて、前記割り当てられたビットレートを、測定期間中に基地局のＭＡＣ−ｅによって無線インターフェース上において送信が成功したＭＡＣ−ｄ  ＰＤＵ  ビットの総数を前記測定期間の持続時間で割ることによって測定する
請求項１０から請求項１６のいずれかに記載の基地局。
【請求項１９】
端末と、無線ネットワーク制御装置に接続された基地局と、を有する移動通信システムにおける、測定の受信方法であって、
前記無線ネットワーク制御装置から前記基地局に、前記測定を開始するための測定開始要求メッセージを送信するステップと、
前記測定開始要求に応じて、基地局から、少なくとも一つの端末によるソフトハンドオーバ中において個別アップリンクデータチャネルで送信されるスケジュールデータに割り当てられたビットレートに関する測定結果を受信するステップと
を含む測定の受信方法。
【請求項２０】
前記測定は、前記ビットレートに関して共通の測定指標を用いてなされたものであり、
各ビットレートは、それぞれ、各端末によって個別アップリンクデータチャネルで送信されるスケジュールデータに関して測定されたものである
請求項１９に記載の測定の受信方法。
【請求項２１】
前記個別アップリンクデータチャネルに配置される論理チャネルは、優先度クラスに対応付けられており、
前記測定とは、優先度クラス毎のビットレートである
請求項１９又は請求項２０に記載の測定の受信方法。
【請求項２２】
前記個別アップリンクデータチャネルに配置される論理チャネルは、優先度クラスに対応付けられており、
前記共通の測定とは、セル毎のビットレートである
請求項２０に記載の測定の受信方法。
【請求項２３】
前記優先度クラスは、スケジューリング優先度インジケータ、又は論理チャネル優先度である
請求項２１又は請求項２２に記載の測定の受信方法。
【請求項２４】
前記測定結果を、前記個別アップリンクデータチャネルに配置される論理チャネルに対応付けられる優先度クラスを示す優先度インジケータと共に受信する
請求項１９から請求項２３のいずれかに記載の測定の受信方法。
【請求項２５】
前記個別アップリンクデータチャネルは、ＵＭＴＳシステムのＥ−ＤＣＨ（Enhanced Dedicated Uplink Channel）である
請求項１９から請求項２４のいずれかに記載の測定の受信方法。
【請求項２６】
前記個別アップリンクデータチャネルは、ＵＭＴＳシステムのＥ−ＤＣＨ（Enhanced Dedicated Uplink Channel）であり、
前記基地局は、各優先度クラスについて、前記割り当てられたビットレートを、測定期間中に基地局のＭＡＣ−ｅによって無線インターフェース上において送信が成功したＭＡＣ−ｄ  ＰＤＵ  ビットの総数を前記測定期間の持続時間で割ることによって測定する
請求項１９から請求項２４のいずれかに記載の測定の受信方法。
【請求項２７】
端末と、無線ネットワーク制御装置に接続された基地局と、を有する移動通信システムにおける、前記無線ネットワーク制御装置であって、
前記基地局に、測定を開始するための測定開始要求メッセージを送信する送信部と、
前記測定開始要求に応じて、基地局から、少なくとも一つの端末によるソフトハンドオーバ中において個別アップリンクデータチャネルで送信されるスケジュールデータに割り当てられたビットレートに関する測定結果を受信する受信部と
を具備する無線ネットワーク制御装置。
【請求項２８】
前記測定は、前記ビットレートに関して共通の測定指標でなされたものであり、
各提供ビットレートは、それぞれ、各端末によって個別アップリンクデータチャネルで送信されるスケジュールデータに関して測定されたものである
請求項２７に記載の無線ネットワーク制御装置。
【請求項２９】
前記個別アップリンクデータチャネルに配置される論理チャネルは、優先度クラスに対応付けられており、
前記測定は、優先度クラス毎のビットレートについてなされたものである
請求項２７又は請求項２８に記載の無線ネットワーク制御装置。
【請求項３０】
前記個別アップリンクデータチャネルに配置される論理チャネルは、優先度クラスに対応付けられており、
前記共通の測定とは、セル毎のビットレートである
請求項２８に記載の無線ネットワーク制御装置。
【請求項３１】
前記優先度クラスは、スケジューリング優先度インジケータ、又は論理チャネル優先度である
請求項２９又は請求項３０に記載の無線ネットワーク制御装置。
【請求項３２】
前記測定結果は、前記個別アップリンクデータチャネルに配置される論理チャネルに対応付けられる優先度クラスを示す優先度インジケータと共に受信される
請求項２７から請求項３１のいずれかに記載の無線ネットワーク制御装置。
【請求項３３】
前記個別アップリンクデータチャネルは、ＵＭＴＳシステムのＥ−ＤＣＨ（Enhanced Dedicated Uplink Channel）である
請求項２７から請求項３２のいずれかに記載の無線ネットワーク制御装置。
【請求項３４】
前記個別アップリンクデータチャネルは、ＵＭＴＳシステムのＥ−ＤＣＨ（Enhanced Dedicated Uplink Channel）であり、
前記基地局は、各優先度クラスについて、前記割り当てられたビットレートを、測定期間中に基地局のＭＡＣ−ｅによって無線インターフェース上において送信が成功したＭＡＣ−ｄ  ＰＤＵ  ビットの総数を前記測定期間の持続時間で割ることによって測定する
請求項２７から請求項３２のいずれかに記載の無線ネットワーク制御装置。